(57)【要約】【課題】購入を希望する商品が決定した時点で商品が存在しない場所であっても商品の販売価格の情報を取得することを可能とし迅速な発注・購入手続きを行うことができる携帯情報端末を用いた商品情報提供方法の提供を目的とする。【解決手段】バーコート読み取り機能を備えた携帯情報端末３は、品番コード集合表示媒体１に表示された商品の品番を表すバーコード２を読み取ると、得られた品番データをサーバー４に送信する。サーバーは、取得した品番データを販売業者ごとの商品販売価格を収集する価格情報検索エンジン５に照会し、これにより得られた当該品番データに対応する商品の価格情報を携帯情報端末に送信する。【選択図】  図１
2004240526.tif 000002
【特許請求の範囲】
【請求項１】
複数の商品についてその品番を表すバーコード等の品番コードを集合させて表示する品番コード集合表示媒体と、
品番コード読み取り機能を備え前記品番コードを読み取って得られたデータを送信する携帯情報端末と、
販売業者ごとの商品販売価格を収集する価格情報検索エンジンと、
この価格情報検索エンジンとネットワーク接続し前記携帯情報端末との間でデータの送受信を行うサーバーを備えるシステムを用い、
前記携帯情報端末が品番コード集合表示媒体の品番コードを読み取ると、携帯情報端末は得られた品番データを前記サーバーに送信し、該サーバーは取得した品番データを前記価格情報検索エンジンに照会して得た当該品番データに対応する商品の価格情報を前記携帯情報端末に送信することを特徴とする携帯情報端末を用いた商品情報提供方法。
【請求項２】
品番コード集合表示媒体は、品番コードが表示された商品カタログの冊子とすることを特徴とする請求項１記載の携帯情報端末を用いた商品情報提供方法。
【請求項３】
品番コード集合表示媒体は、品番コードを含む商品情報が記録された記録媒体を利用してその品番コードを表示するコンピュータの表示装置とすることを特徴とする請求項１記載の携帯情報端末を用いた商品情報提供方法。
【請求項４】
価格情報検索エンジンは、ネットワーク上に公開された販売業者ごとの商品販売価格を収集することを特徴とする請求項１記載の携帯情報端末を用いた商品情報提供方法。
【請求項５】
携帯情報端末に送信された商品の価格情報表示には販売業者のＷｅｂサイトへのリンクをはることを特徴とする請求項１記載の携帯情報端末を用いた商品情報提供方法。
【請求項６】
携帯情報端末の品番コート読み取り手段は、携帯情報端末に内蔵したカメラとすることを特徴とする請求項１記載の携帯情報端末を用いた商品情報提供方法。
【請求項７】
携帯情報端末の品番コート読み取り手段は、該携帯情報端末に接続するバーコードリーダー、バーコードスキャナーとすることを特徴とする請求項１記載の携帯情報端末を用いた商品情報提供方法。
【請求項８】
携帯情報端末に送信する商品の価格情報は、同一商品についての複数の販売店の価格情報とすることを特徴とする請求項１記載の携帯情報端末を用いた商品情報提供方法。
【発明の詳細な説明】
【０００１】
【発明の属する技術分野】
本発明は、商品の購入を希望する者が、携帯電話機等の携帯情報端末を用いて商品の価格情報をリアルタイムで取得して比較検討を容易にすることで商品の購入・発注に結びつけることができる商品情報提供方法に関し、特に現実の商品が存在しない場所であっても商品の価格情報をリアルタイムで取得することができる商品情報提供方法に関する。
【０００２】
【従来の技術】
商品の購入を希望する人にとっては、商品の最新の販売価格を取得することは重要なポイントであり、そのため店舗の宣伝チラシを集めたり、販売店をいくつか訪れたりして購入を希望する商品についての販売価格を比較し、いつどこで購入するかを決定することが通常行われている。
【０００３】
そして、購入を希望ずる商品のメーカーや品番まで確定している場合には、販売店を訪れることなくインターネットを利用し販売業者のＷｅｂサイトを閲覧する等により商品の価格情報を得ることも可能である。この場合、インターネットを利用できる環境であることが必須である。
【発明が解決しようとする課題】
【０００４】
しかしながら、購入を希望する商品について、自宅等で販売価格情報を収集して比較検討するためには、インターネットに接続しているコンピュータを起動し、その商品を取り扱っている販売業者の複数のＷｅｂサイトで価格を閲覧してから価格情報を比較検討し、それから購入を決めた販売業者のＷｅｂサイトで購入手続きをするという時間と手間がかかることを余儀なくされていた。ましてや、自宅以外の勤務先や外出先ではこのような商品の価格情報の収集、比較検討、購入手続きといった一連の作業を行うことは極めて困難であった。
【０００５】
また、価格設定に自信を持つ販売店等にあっても、他店の価格情報とともに自店の価格がいち早く購入希望者に伝えられ、これが自店よりの商品購入のきっかけとなれば売上向上の一助ともなるが、外出先の購入希望者に対してこのような要望に対応することのできるシステムは皆無であった。さらに、消費動向等の商品情報提供者にとっても、店舗におけるＰＯＳシステムのごとく、非店舗でのリアルタイムでの消費動向をもデータとして入手できれば、新たなサービスの展開に繋がるものであり、このような要望に対応することのできるシステムが待たれた。
【０００６】
そこで本発明は、購入希望者にあっては購入商品が決定した時点で当該商品が存在しない場所であっても商品の販売価格の情報を取得することを可能とし迅速な発注・購入手続きを行うことができ、また販売業者にあっては外出先の購入希望者に対しても自店の販売価格がいち早く伝えられる携帯情報端末を用いた商品情報提供方法の提供を目的とする。
【０００７】
【課題を解決するための手段】
上記目的を達成するため、本発明の携帯情報端末を用いた商品情報提供方法は、複数の商品についてその品番を表すバーコード等の品番コードを集合させて表示する品番コード集合表示媒体と、品番コード読み取り機能を備え前記品番コードを読み取って得られたデータを送信する携帯情報端末と、販売業者ごとの商品販売価格を収集する価格情報検索エンジンと、この価格情報検索エンジンとネットワーク接続し前記携帯情報端末との間でデータの送受信を行うサーバーを備えるシステムを用い、前記携帯情報端末が品番コード集合表示媒体の品番コードを読み取ると、携帯情報端末は得られた品番データを前記サーバーに送信し、該サーバーは取得した品番データを前記価格情報検索エンジンに照会して得た当該品番データに対応する商品の価格情報を前記携帯情報端末に送信することを特徴とするものである。
【０００８】
また、品番コード集合表示媒体は、品番コードが表示された商品カタログの冊子とすることを特徴とするものである。
【０００９】
また、品番コード集合表示媒体は、品番コードを含む商品情報が記録された記録媒体を利用してその品番コードを表示するコンピュータの表示装置とすることを特徴とするものである。
【００１０】
また、価格情報検索エンジンは、ネットワーク上に公開された販売業者ごとの商品販売価格を自動的に収集することを特徴とするものである。
【００１１】
また、携帯情報端末に送信された商品の価格情報表示には販売業者のＷｅｂサイトへのリンクをはることを特徴とするものである。
【００１２】
また、携帯情報端末の品番コードの読み取り手段は、携帯情報端末に内蔵したカメラとすることを特徴とするものである。
【００１３】
また、携帯情報端末の品番コードの読み取り手段は、該携帯情報端末に接続するバーコードリーダー、バーコードスキャナーとすることを特徴とするものである。
【００１４】
また、携帯情報端末に送信する商品の価格情報は、同一商品についての複数の販売店の価格情報とすることを特徴とするものである。
【００１５】
【発明の実施の形態】
図１は、本発明の携帯情報端末を用いた商品情報提供方法のシステム構成を示しており、図中１はＪＡＮコード、ＱＲコード等の商品の品番を表すバーコード２が集合的に表示された商品カタログ等の品番コード集合表示媒体、３はこのバーコード２を読み取り品番のデータとして取得する機能を備えた携帯電話機等の携帯情報端末、４は携帯情報端末３から送信されてくる品番データを取得するサーバー、５はこのサーバー４がネットワーク接続する価格情報検索エンジン、６は販売業者のインターネットで公開されているＷｅｂサイトである。
【００１６】
前記品番コード集合表示媒体１は、本発明の商品情報提供方法のシステムのために新たにバーコードが表示された商品カタログの冊子を作成してもよいが、それ以外にも商品のメーカーカタログに商品の案内とともにバーコードを表記したり、バーコードを含む商品情報が記録されたＣＤ−ＲＯＭディスク、ＤＶＤ−ＲＯＭディスク、ハードディスク等の記録媒体を用いてコンピュータの表示装置にバーコードを含む商品情報を表示させたりすることとしてもよいものである。従来の商品カタログ冊子にあっては、商品ごとの価格情報が記載されているが、その価格情報は時間経過とともに変動する市場価格に同期しないので、頻繁に価格を改訂したカタログ冊子を発行しなければならないという多大な手間と費用を要するものである。これに対し、本発明に用いる品番コード集合表示媒体１は、価格情報を不要とするものであり、商品のラインナップが変わらない限りにおいて長期に渡って使用することができるものであり、商品カタログの冊子とした場合には、追加商品についてもバインダー形式で追加していくことも可能である。
【００１７】
前記携帯情報端末３は、本実施例にあっては一例としてカメラ付き携帯電話機を用いて説明するが、これに限定されることはなく、携帯電話機にバーコードスキャナーを接続したり、通信機能を備えたＰＤＡにバーコードリーダーを接続したりしてもよいものである。
【００１８】
前記サーバー４は、携帯情報端末３がこの商品情報提供サービスを受けるために必要なプログラムを管理し、ユーザーはサーバー４にアクセスしてこのプログラムをダウンロードして、インストールする。また、サーバー４は、携帯情報端末３からデータが送信されると、ネットワークを介して接続する価格情報検索エンジン５から前記データに対応する情報を取得し、この情報を携帯情報端末３に送信する。
【００１９】
価格情報検索エンジン５は、インターネット上に公開された販売業者ごとの商品販売価格を自動的に収集したり、ネットワークを通じて販売業者のデータベースにアクセスしたりして商品販売価格を取得する。
【００２０】
このような構成からなる本発明の携帯情報端末を用いた商品情報提供方法について、具体的に商品情報を提供する方法を説明する。まず、バーコート読み取り機能を備える携帯情報端末３（例えばカメラ付き携帯電話機）のユーザーは、サーバー４にアクセスして、図２に示すごとく、商品情報提供サービスを受けるために必要なプログラムをダウンロードし、これをインストールする。
【００２１】
次にユーザーは、販売店を訪れて購入を希望する商品を確定したら、携帯情報端末３の前述したプログラムを起動して、図３に示すごとく、その品番コード集合表示媒体１に表示されているＪＡＮコード、ＱＲコード等の商品の品番を表すバーコード２を、携帯情報端末３のバーコート読み取り機能により読み取る（例えばカメラで写すとかスキャンするとか）。
【００２２】
携帯情報端末３のプログラムは、バーコート読み取り機能により読み取ったバーコード２の品番のデータ（例えば４９８８０２９７３０８４８）を、図４に示すごとく、前記サーバー４に自動的に送信する。そしてサーバー４は、図５に示すごとく、受け取った品番のデータを価格情報検索エンジン５に引き渡す。情報検索エンジン５は、販売業者のデータベース（例えば販売業者のＷｅｂサイト６）にアクセスしてこの品番のデータに該当する商品の価格情報を取得し、これをサーバー４に引き渡す。
【００２３】
サーバー４は、図６に示すごとく、この商品の価格情報を携帯情報端末３に送信することで、図７に示すごとく、携帯情報端末３のディスプレイ７には、例えば商品名又は品番と、販売業者ごとの販売価格のリストが、価格の安い順にソートされて表示される。これらの商品の価格情報については、サーバー４側でソートしたり送信件数を限定したりしてもよい。この販売業者ごとの表示には、当該販売業者のＷｅｂサイトへのリンクをはることで、ユーザーが購入を決定した場合にその販売業者の表示部分（例えばＣ社）を選択決定することで、図８に示すごとく、ユーザーはそのＷｅｂサイトに容易にアクセスし購入手続きを行うことができるものである。
【００２４】
尚、前記サーバー４を管理する事業体にあっては、携帯電話番号等の個人データを有するユーザーについての消費動向を取得することができ、このサービスの利用実績のあるユーザーに対して関連する商品やサービスについての更なる情報を提供することができ、商品の販売に関して新たな展開が望まれるものである。
【００２５】
【発明の効果】
以上詳述した如く、本発明の携帯情報端末を用いた商品情報提供方法によれば、購入希望者にあっては購入商品が決定した時点で商品が存在していない場所であっても商品の販売価格の情報を取得することを可能とし、購入意欲を損なわせることなく迅速な発注・購入手続きを行うことができ、また販売業者にあっても外出先の購入希望者に対して自店の販売価格がいち早く伝わることで売上向上の一助ともなるものである。
【００２６】
また、価格情報検索エンジンは、ネットワーク上に公開された販売業者ごとの商品販売価格を収集することで、リアルタイムでの商品の販売価格の情報を容易に取得することが可能となる。
【００２７】
また、携帯情報端末に送信された商品の価格情報表示には販売業者のＷｅｂサイトへのリンクをはることで、ユーザーは携帯情報端末のディスプレイに表示された販売業者の価格情報を選択決定するという簡単な操作を行うだけで、販売業者のＷｅｂサイトに容易にアクセスし購入手続きを行うことができるものである。
【図面の簡単な説明】
【図１】本発明の携帯情報端末を用いた商品情報提供方法のシステム構成を示す説明図である。
【図２】本発明の携帯情報端末を用いた商品情報提供方法を示す説明図である。
【図３】本発明の携帯情報端末を用いた商品情報提供方法を示す説明図である。
【図４】本発明の携帯情報端末を用いた商品情報提供方法を示す説明図である。
【図５】本発明の携帯情報端末を用いた商品情報提供方法を示す説明図である。
【図６】本発明の携帯情報端末を用いた商品情報提供方法を示す説明図である。
【図７】本発明の携帯情報端末を用いた商品情報提供方法を示す説明図である。
【図８】本発明の携帯情報端末を用いた商品情報提供方法を示す説明図である。
【符号の説明】
１  品番コード集合表示媒体
２  バーコード
３  携帯情報端末
４  サーバー
５  価格情報検索エンジン
６  Ｗｅｂサイト
７  ディスプレイ
【図１】
2004240526.tif 000003
【図２】
2004240526.tif 000004
【図３】
2004240526.tif 000005
【図４】
2004240526.tif 000006
【図５】
2004240526.tif 000007
【図６】
2004240526.tif 000008
【図７】
2004240526.tif 000009
【図８】
2004240526.tif 000010